(57)【要約】【課題】多モジュール通信付きのディスプレーを提供する。【解決手段】スクリーンのハウジングやベースにＵＳＢ槽とＰＳＴＮ電話線槽が設置されることにより、自動切換え回路とメモリを有するマイクロプロセッサで、通信費を節約でき、ユーザーにより快適なコンピュータ通信環境を提供できる。【選択図】図１
0003137459.tif 000002
【実用新案登録請求の範囲】
【請求項１】
スクリーンが設置されたハウジングが底座に設けられたディスプレーであって、該底座は、少なくとも１組のＵＳＢ槽と少なくとも１組のＰＳＴＮ電話線槽が設けられ、また、ハウジングに内蔵されるメモリを有するマイクロプロセッサと、自動切換え回路とがあり、該ＵＳＢ槽はＵＳＢ伝送線を介してＶｏＩＰ送話器とパソコンＰＣを自動切換え回路に連接し、また、該ＰＳＴＮ電話線槽は、ＰＳＴＮ電話線を介してＰＳＴＮ送話器とＰＳＴＮネットワークを自動切換え回路に連接することを特徴とする、多モジュール通信付きのディスプレー。
【請求項２】
該１組のＵＳＢ槽は、ＵＳＢｉｎ槽とＵＳＢｏｕｔ槽とがあることを特徴とする、請求項１に記載の多モジュール通信付きのディスプレー。
【請求項３】
該ＵＳＢｉｎ槽は、ＵＳＢ伝送線を介してパソコンＰＣに連接されることを特徴とする、請求項２に記載の多モジュール通信付きのディスプレー。
【請求項４】
該ＵＳＢｏｕｔ槽は、ＵＳＢ伝送線を介してＶｏＩＰ送話器に連接されることを特徴とする、請求項２に記載の多モジュール通信付きのディスプレー。
【請求項５】
該１組のＰＳＴＮ電話線槽内に、ＰＳＴＮｉｎ槽とＰＳＴＮｏｕｔ槽とが設置されることを特徴とする、請求項１に記載の多モジュール通信付きのディスプレー。
【請求項６】
該ＰＳＴＮｉｎ槽は、ＰＳＴＮ電話線を介してＰＳＴＮ電話ネットワークに連接されることを特徴とする、請求項５に記載の多モジュール通信付きのディスプレー。
【請求項７】
該ＰＳＴＮｏｕｔ槽は、ＰＳＴＮ伝送線を介してＰＳＴＮ送話器に連接されることを特徴とする、請求項５に記載の多モジュール通信付きのディスプレー。
【請求項８】
該スクリーンのハウジング上に、少なくとも１組のＵＳＢ槽と少なくとも１組のＰＳＴＮ電話線槽が設置されることを特徴とする、請求項１に記載の多モジュール通信付きのディスプレー。
【請求項９】
該スクリーンのハウジングは、更に、ハンズフリー送話器切換え装置が設けられることを特徴とする、請求項１に記載の多モジュール通信付きのディスプレー。
【考案の詳細な説明】
【技術分野】
【０００１】
本考案は、多モジュール通信付きのディスプレーに関し、特に、自動的に通信モードを切換えることにより、より快適なコンピュータ通信環境を実現でき、また、通信費を節約できるディスプレーに関する。
【背景技術】
【０００２】
従来の液晶スクリーンであるディスプレーは、ハウジングに液晶スクリーンを収納してから、ベースに組立て、該ハウジング上に、一連の機能調整ボタンと電源スイッチが設けられ、単純のスクリーン表示（ｓｔａｎｄａｒｄ  ｄｉｓｐｌａｙ）機能だけが実現される。
【０００３】
既存の液晶スクリーンであるディスプレー自身は、連接線を介してケース（ｃａｓｅ）に連接され、また、ＰＳＴＮ送話器やｓｋｙｐｅ送話器は、それぞれ、ＰＳＴＮ電話線やＵＳＢ伝送線を介して該ケース（ｃａｓｅ）のＰＳＴＮ電話線槽やＵＳＢ槽に連接され、これにより、ユーザーがＰＳＴＮ公衆回線網やＶＯＩＰ電話をダイヤルや受信することができる。
【０００４】
しかしながら、地面に置かれたパソコンＰＣに上記の各種類の電話線や伝送線を連接して、使用することが不便であるため、実用的ではない。
【考案の開示】
【考案が解決しようとする課題】
【０００５】
本考案者は、前記の既存の欠点を解消するため、ディスプレー構造を改良することにより、スクリーンや底座にＵＳＢ槽と電話線槽を増設することで、ユーザーが快適的にコンピュータでネットワークを利用して通信でき、また、通信費を節約できる。
【課題を解決するための手段】
【０００６】
本考案は、上記の目的を達成するため、スクリーンのハウジングかベースに、少なくとも１組のＵＳＢ槽と少なくとも１組のＰＳＴＮ電話線槽を設置することを特徴とする、多モジュール通信付きのディスプレーである。
【０００７】
これにより、ハウジングや底座に収納される自動切換え回路とメモリを有するマイクロプロセッサとが連接されて、多種類の通信モジュールと連接してループを形成する。
【０００８】
本考案の目的は、スクリーンのハウジングやベースに、ＵＳＢ槽とＰＳＴＮ電話線槽を設置して送話器を連接し、また、自動切換え回路とメモリを有するマイクロプロセッサにより通信ループを形成することにより通信費を節約でき、また、ハンズフリー送話器切換え装置が設けられることにより、ユーザーが手で送話器を持つことが要らなく、より便利的に、コンピュータデジタル通信と従来のＰＳＴＮとを交互に使用できる多モジュール通信付きのディスプレーを提供する。
【考案を実施するための最良の形態】
【０００９】
本考案は、図１ないし図５を参照しながら、主として、０６１８が内蔵されるウジング１１を底座２に組立て、該ハウジング１１のスクリーン１は、液晶スクリーンであり、一般の表示機能の他に、例えば、ＰＳＴＮとＶＯＩＰ等と通信できる機能を有するモジュールであり、そのため、該ハウジング１１に、更に、少なくとも１組のＵＳＢ槽１３と少なくとも１組のＰＳＴＮ電話線槽１２が設けられ、また、ハウジング１１に、メモリを有するマイクロプロセッサ１４が内蔵される自動切換え回路１５が設けられ、該ＵＳＢ槽１３は、ＵＳＢｉｎ槽１３１とＵＳＢｏｕｔ槽１３２があり、ＵＳＢｉｎ槽１３１は、ＵＳＢ伝送線（図に未表示）を介してパソコンＰＣ（図に未表示）に連接され、ＶｏＩＰ信号を送受信し、ユーザーがＶｏＩＰ送話器４で通信するＶｏＩＰ通信モードの他に、ＰＳＴＮ送話器６でメモリを有するマイクロプロセッサ１４の信号変換により、ＰＳＴＮ送話器６でＰＳＴＮとＶｏＩＰの２種類の通信モードが実現され、該ＰＳＴＮ電話線槽１２は、ＰＳＴＮｉｎ  槽１２１とＰＳＴＮｏｕｔ槽１２２があり、ＰＳＴＮｏｕｔ槽１２２は、ＰＳＴＮ電話線５とＰＳＴＮ送話器６を介して自動切換え回路１５に連接され、ＰＳＴＮ  ｉｎ槽１２１は、他のＰＳＴＮ電話線（図に未表示）を介して自動切換え回路１５とＰＳＴＮネットワーク業者（例えば、中華電信等）に連接され、該自動切換え回路１５は、ＵＳＢ槽１３とＰＳＴＮ電話線槽１２との間に、ループを形成して信号を変換し、該メモリを有するマイクロプロセッサ１４は、自動切換え回路１５を控制し、該メモリに対してデータを読取りや書込みを行う。
【００１０】
該スクリーン１は、ハウジング１１に、ハンズフリー送話器切換え装置１６が設けられるため、自動と手動との両モジュールがあり、コンピュータがオンかオフの状態であっても、本考案を利用するユーザーは、手でＰＳＴＮ送話器６やＶｏＩＰ送話器４を持つことが必要しない。
【００１１】
上記の構造により、コンピュータが「オフ」状態である場合、ユーザーがＰＳＴＮ送話器６を取ってダイヤルすると、音声信号がＰＳＴＮｏｕｔ槽１２２のＰＳＴＮ電話線伝送線（図に未表示）を介してＰＳＴＮネットワーク業者に連接され、また、グローバルなＰＳＴＮ／携帯電話／ＶｏＩＰ電話のユーザーにしてダイヤルオンラインして、遠隔発話者が、ＰＳＴＮ／携帯電話ＣｅｌｌＰｈｏｎｅを介して、本考案を利用するユーザーと連絡する時、本考案を利用するユーザーのスクリーン１のハウジング１１や底座２に連接されるＰＳＴＮ送話器６のベルが鳴り、これによりユーザーがＰＳＴＮモードで受話できる。
【００１２】
また、コンピュータが「オン」状態である場合、次の状況があり；（１）受話者が、どの通信モードで受信するかが分からないため、ユーザー（発話者）が、２種類の通信モードの何れかの一つを選び、ＰＳＴＮ送話器６かＶｏＩＰ送話器４でダイヤルしても、音声信号が、自動切換え回路１５に伝送され、該自動切換え回路１５が、自動的にＶｏＩＰ／ＰＳＴＮのポイントツーポイントのネットワーク電話モードを識別して、遠隔受話者との通話が成り立つと、通話過程全体において、ＶｏＩＰかＰＳＴＮのポイントツーポイントのネットワーク電話モードで行い、ユーザー（発話者）にとって、通信費を節約する効果が得られる。（２）遠隔発話者が、ＶｏＩＰやＰＳＴＮモードでダイヤルしても、音声信号が本考案に送られる時、該音声状態が、自動切換え回路１５により対応する音声伝送モードに変換され、本考案を利用する受話者は、ＰＳＴＮ送話器６を取るだけで、応答や対話できる。図５のように、該受話者は、ＰＳＴＮ送話器６を手にすることだけで、発話者と、ＶｏＩＰやＰＳＴＮモードで通信でき、ＶｏＩＰ通信モードである場合、ＶｏＩＰ送話器４とＵＳＢ伝送線３とを利用しなけらればならないことはない。
【００１３】
また、図２のように、卓面に向かう設計により、スクリーン１の外観の造型設計を維持しても良い、これにより、スロットが形成されることにより、視覚効果が悪くなる。
【００１４】
また、図３のように、空間を節約するため、そして、スクリーン１の外観の造型設計を維持するため、底座２の裏側において、適当な位置にスロットを形成しても良い。
【００１５】
図５を参照しながら、本考案は、まず、ＰＳＴＮ電話線（図に未表示）を介してＰＳＴＮシステム業者の電話ボックス（図に未表示）に連接され、また、もう一つのＰＳＴＮ電話線５を介してＰＳＴＮ送話器６に連接されることにより、ＰＳＴＮ通信モードで受信することができる。同時に、一つのＵＳＢ伝送線（図に未表示）を介して、パソコンＰＣ（図に未表示）に連接され、ＶｏＩＰのデジタル通信信号を受信し、そして、メモリを有するマイクロプロセッサ１４（図１のように）を介して、ＶｏＩＰ信号を処理してから、ＰＳＴＮ電話線５を介して、ユーザーが、ＰＳＴＮ送話器６を利用して、ＶｏＩＰ通信モードで受送信できる。
【図面の簡単な説明】
【００１６】
【図１】本考案に係わるスクリーンのハウジングの正面に自動切換え回路が設けられる時の概念図
【図２】図１のスクリーンのハウジングの下方にＵＳＢ槽とＰＳＴＮ電話線槽が設けられる時の底面図
【図３】本考案の底座にＵＳＢ槽とＰＳＴＮ電話線槽とが設けられる時の概念図
【図４】本考案に係わるスクリーンのハウジングの裏側にＵＳＢ槽とＰＳＴＮ電話線槽が設けられる時の概念図
【図５】ＰＳＴＮ送話器とＶｏＩＰ送話器の概念図
【符号の説明】
【００１７】
１        スクリーン
１１      ハウジング
１２      ＰＳＴＮ電話線槽
１２１    ＰＳＴＮｉｎ槽
１２２    ＰＳＴＮｏｕｔ槽
１３      ＵＳＢ槽
１３１    ＵＳＢｉｎ槽
１３２    ＵＳＢｏｕｔ槽
１４      メモリを有するマイクロプロセッサ
１５      自動切換え回路
１６      ハンズフリー送話器切換え装置
２        底座
３        ＵＳＢ伝送線
４        ＶｏＩＰ送話器
５        ＰＳＴＮ電話線
６        ＰＳＴＮ送話器
【図１】
0003137459.tif 000003
【図２】
0003137459.tif 000004
【図３】
0003137459.tif 000005
【図４】
0003137459.tif 000006
【図５】
0003137459.tif 000007